(57)【要約】【課題】特定の地域の特定の期間において特定の口座に多数の顧客が振込みを行う特定振込取引を顧客が直接選択して行うことを可能にする。【解決手段】金融機関のオペレータが設定した特定の振込先の名称、支店番号、口座番号等、振込金額、受付期間、取引実施対象の自動取引装置を指定する識別情報等を特定振込取引情報として取引等設定情報データベース２３に登録し、自動取引装置１から識別情報が送られると、設定情報管理サーバ２０はその識別情報を基に取引等設定情報データベース２３から該当する特定振込取引情報を検索して自動取引装置１に送信し、自動取引装置１はその特定振込取引情報により顧客操作表示部２に通常の取引キーに加えて前記特定振込取引を選択する取引キーを表示して、その特定振込取引を受付ける。【選択図】図１
2007141097.tif 000002
【特許請求の範囲】
【請求項１】
顧客の操作により取引を実行する自動取引装置と、
金融機関のオペレータが設定した振込取引における振込先の名称、支店番号、口座番号等、振込金額、受付期間、取引実施対象の自動取引装置を指定する識別情報等を特定振込取引情報として登録したデータベースを管理する設定情報管理サーバとを備え、
前記自動取引装置から識別情報が送られると、前記設定情報管理サーバはその識別情報を基に前記データベースから該当する特定振込取引情報を検索して前記自動取引装置に送信し、
自動取引装置はその特定振込取引情報により顧客操作表示部に通常の取引キーに加えて前記特定振込取引を選択する取引キーを表示して、その特定振込取引を受付けることを特徴とする自動取引システム。
【請求項２】
請求項１に記載の自動取引システムにおいて、
取引実施対象の自動取引装置を指定する識別情報を、その自動取引装置固有の機番とすることを特徴とする自動取引システム。
【請求項３】
請求項１に記載の自動取引システムにおいて、
取引実施対象の自動取引装置を指定する識別情報を、その自動取引装置が設置される支店の支店コードとすることを特徴とする自動取引システム。
【請求項４】
請求項１〜請求項３のいずれか１項に記載の自動取引システムにおいて、
金融機関のオペレータが操作する端末を備え、該端末でオペレータが入力した振込先の名称、支店番号、口座番号等、振込金額、受付期間、取引実施対象の自動取引装置を指定する識別情報等を特定振込取引情報として前記設定情報管理サーバに送信し、前記データベースに登録することを特徴とする自動取引システム。
【発明の詳細な説明】
【技術分野】
【０００１】
本発明は、顧客の操作により自動取引装置で取引を実行する自動取引システムに関するものである。
【背景技術】
【０００２】
金融機関の店舗等に設置される従来の自動取引装置では、タッチパネルとディスプレイから成る顧客操作表示部に取引選択画面を表示して、この取引選択画面中に表示された取引の中から所望の取引を顧客に選択させ、選択された取引に必要な情報を入力させた後、ホストコンピュータと交信を行って取引を実行するものとなっている（例えば、特許文献１参照）。
【特許文献１】特開２００４−５２０３（段落「００１０」、「００１１」、図２）
【発明の開示】
【発明が解決しようとする課題】
【０００３】
しかしながら、上述した従来の技術においては、取引選択画面中に表示される取引は、「引出」、「預入」、「振込」、「振替」、「残高照会」等、金融機関毎に全国一律に定められており、また各取引における操作手順は自動取引装置の設置地域や期間等に関係なく一律に定められているため、例えば、ある地域（特定地域）のある期間（特定期間）において特定の口座に多数の顧客が振込みを行う場合でも、各顧客は「振込み」の取引選択キーを押下して振込取引を選択した後、予め設定されている手順通りの操作を一様に行わなければならないという問題があった。
【０００４】
本発明は、このような問題を解決することを課題とする。
【課題を解決するための手段】
【０００５】
そのため、本発明は、顧客の操作により取引を実行する自動取引装置と、金融機関のオペレータが設定した振込取引における振込先の名称、支店番号、口座番号等、振込金額、受付期間、取引実施対象の自動取引装置を指定する識別情報等を特定振込取引情報として登録したデータベースを管理する設定情報管理サーバとを備え、前記自動取引装置から識別情報が送られると、前記設定情報管理サーバはその識別情報を基に前記データベースから該当する特定振込取引情報を検索して前記自動取引装置に送信し、自動取引装置はその特定振込取引情報により顧客操作表示部に通常の取引キーに加えて前記特定振込取引を選択する取引キーを表示して、その特定振込取引を受付けることを特徴とする。
【発明の効果】
【０００６】
このようにした本発明は、全国的に実施されている取引の他に特定の地域の特定の期間において特定の口座に多数の顧客が振込みを行う特定振込取引を顧客が直接選択して行なうことが可能になるという効果が得られ、その際、振込先の名称、支店番号、口座番号等、振込金額の入力操作を省略できるという効果も得られる。
【発明を実施するための最良の形態】
【０００７】
以下、図面を参照して本発明による自動取引システムの実施例を説明する。
【実施例】
【０００８】
図１は実施例を示すシステム構成図である。
自動取引装置１は通信回線を介して勘定系のホストコンピュータ１０と設定情報管理サーバ２０に接続されており、ここでは１台の自動取引装置１しか示していないが、ホストコンピュータ１０と設定情報管理サーバ２０には、金融機関の各支店等に設置された多数の自動取引装置１が接続されている。
【０００９】
また、設定情報管理サーバ２０は取引等設定情報データベース２３を管理しており、この設定情報管理サーバ２０には、特定の地域の特定の期間において特定の口座に多数の顧客が振込みを行う特定振込取引を設定するための設定端末３０が接続可能となっている。
前記自動取引装置１は、ＣＲＴディスプレイまたは液晶ディスプレイ等による表示部とこの表示部上に配置した入力部としてのタッチパネルとより成る顧客操作表示部２を備え、この顧客操作表示部２は顧客に取引を選択させるための取引選択画面や、顧客の操作を誘導するメッセージを配した画面等を表示し、その画面中の各種の入力キーをタッチパネル上から指で押下することにより、入力キーに定義された情報を入力できるものとなっていて、入力された情報の表示等も行う機能を有している。
【００１０】
また、自動取引装置１には、インタフェース部（Ｉ／Ｆ部）３、制御部４の他、顧客のカードに設けられた磁気ストライプに対してデータの読取及び書込みを行う図示しないカード取扱部、取引に伴う硬貨や紙幣の入出金処理を行う図示しない現金入出金部、通帳に未記帳データ等を印字する図示しない通帳印字部、取引終了時にレシートに取引内容を印字する図示しないレシート印字部、及び図示しない記憶部等が設けられており、前記制御部４は前記記憶部に記憶された制御プログラムに基づいて顧客操作表示部２や前記各部を含む装置全体を制御すると共に、インタフェース部３を介してホストコンピュータ１０や設定情報管理サーバ２０と通信を行って、各種の取引を遂行する機能を有している。
【００１１】
ホストコンピュータ１０は、金融機関のセンタ等に設置されていて、インタフェース部（Ｉ／Ｆ部）１１、制御部１２、及び図示しない記憶部等を有しており、この制御部１２は前記記憶部に記憶された制御プログラムに基づいて口座を開設している各顧客の氏名、口座番号、暗証番号、未記帳データ、及び口座残高等を顧客口座情報として記憶している顧客情報データベース（顧客情報ＤＢ）１３を管理し、また自動取引装置１からの要求に応じて顧客の本人確認を行うと共に、インタフェース部（Ｉ／Ｆ部）１１を介して自動取引装置１に未記帳データや口座残高、取引可否の通知等を送信する機能を有している。
【００１２】
設定情報管理サーバ２０には制御部２１とインタフェース部（Ｉ／Ｆ部）２２、及び取引情報設定用プログラム及び制御プログラム等を記憶した図示しない記憶部が設けられ、制御部２１は制御プログラムに基づいて設定情報管理サーバ２０全体を制御し、インタフェース部２２を介して自動取引装置１及び設定端末３０と通信を行うと共に、設定端末３０から送信されてくる特定振込取引の取引内容や時間、実施場所（実施支店）、実施対象の自動取引装置等の取引設定情報を前記取引情報設定用プログラムに基づいて取引等設定情報データベース２３に格納、管理して、必要に応じて自動取引装置１に送信する機能を有している
設定端末３０は、ＣＲＴディスプレイまたは液晶ディスプレイ等による表示部３１、図示しないキーボードやマウス等の入力部、インタフェース部（Ｉ／Ｆ部）３２、図示しない記憶部、及びインタフェース部３２を介して設定情報管理サーバ２０と通信を行うと共に、前記記憶部に記憶された制御プログラムに基づいて設定端末全体を制御する制御部３３を有している。
【００１３】
この設定端末３０は、有線、無線ネットワークにより設定情報管理サーバ２０に接続できるものであればよく、ホストコンピュータ１０と共に金融機関のセンタに設置してもよいし、金融機関の支店に設置してもよい。
上述した構成の作用について説明する。
まず、特定振込取引の設定、登録について説明する。
【００１４】
設定端末３０の担当者は図示しない入力部を操作して取引の設定を指定すると、制御部３３は図示しない記憶部から特定振込取引設定用画面を読み出して表示部３１に表示し、この画面に従って担当者は入力部を操作して、設定したい特定振込取引に関する情報、例えば、ある地域に存在するフィットネスクラブの年会費の振込みを一定期間受付ける特定振込取引を設定する場合、そのフィットネスクラブ（振込先）の名称、支店番号、口座番号等、年会費の金額（振込金額）、受付期間、取引実施対象とする自動取引装置１を指定する識別情報等を特定振込取引情報として入力する。
【００１５】
この場合の、自動取引装置を指定する方法としては、自動取引装置単位で指定する方法と支店単位で指定する方法とがあり、自動取引装置単位で指定する場合は、自動取引装置固有の機番を識別情報として入力し、支店単位で指定する場合は、支店コード（支店番号）を識別情報として入力するようにする。
特定振込取引情報を入力した後、担当者がその内容を確認して送信を指示すると、制御部３３は前記の特定振込取引情報を設定情報管理サーバ２０へ送信し、設定情報管理サーバ２０では特定振込取引情報を受信すると、制御部２１がその特定振込取引情報を取引等設定情報データベース２３に登録（格納）する。
【００１６】
次に、特定振込取引情報を利用した自動取引装置１の動作について説明する。
自動取引装置１の制御部４は、起動時等のタイミングで設定情報管理サーバ２０に接続し、自身の機番あるいは設置されている支店の支店コードを送信する。
設定情報管理サーバ２０では、自動取引装置１から機番あるいは支店コードを受信すると、それに基づいて制御部２１が取引等設定情報データベース２３を検索し、自動取引装置１から受信した機番あるいは支店コードが登録されているかどうかにより特定振込取引情報の登録の有無を調べて、登録されていない場合はその旨の情報を自動取引装置１に送り、登録されている場合は、その特定振込取引情報を自動取引装置１に送信する。
【００１７】
この特定振込情報は上述したように振込先の名称、支店番号、口座番号等、振込金額、受付期間、自動取引装置１を指定する識別情報等であるが、そのうちの受付期間及び識別情報は特に自動取引装置１側では必要でないので送信を省略してもよい。
自動取引装置１は設定情報管理サーバ２０から情報を受信すると制御部４がその内容を認識し、特定情報が登録されていない旨の情報であれば、通常の取引選択画面を顧客操作表示部２に表示する。
【００１８】
認識した内容が特定振込取引情報であれば、制御部４は通常の取引選択画面に特定振込取引を選択させるキーを加えて顧客操作表示部２に表示する。
図２は通常の取引選択画面の例を示す図、図３は特定振込取引を選択させるキーを加えた取引選択画面の例を示す図で、この図３の取引選択画面では、図２に示した「支払」、「入金」、「振込」、「振替」、「残高照会」、「暗証変更」等の通常の取引選択キー４０ａ〜４０ｆに加えて「○○フィットネスクラブ振込」という特定振込取引を選択する取引選択キー４０ｇが表示されている。
【００１９】
これは、例えば、特定のフィットネスクラブが指定する期間において、そのフィットネスクラブの年会費の振込取引を可能にするもので、顧客が取引選択キー４０を押下して「○○フィットネスクラブ振込」の取引を選択すると、制御部４はその特定振込取引に必要な情報の入力画面を顧客操作表示部２に表示するが、その際、入力画面には設定情報管理サーバ２０から受信した特定振込情報に基づいて振込先の名称、支店番号、口座番号等、振込金額等を組込んで表示する。
【００２０】
これにより利用者は、これらの情報を除いた必要な情報を通常の振込取引と同様の手順で入力して、その入力内容を確認し、必要に応じてカードの挿入や現金の投入を行うと、制御部４はホストコンピュータ１０と交信して振込取引を実行する。
以上説明した実施例によれば、金融機関のオペレータが任意に設定した振込取引における振込先の名称、支店番号、口座番号等、振込金額、期間、対象とする自動取引装置を指定する識別情報等を特定振込取引情報として設定情報管理サーバのデータベースに登録し、この特定振込取引情報を設定情報管理サーバから対象とする自動取引装置に送信するようにしていることで、その自動取引装置の顧客操作表示部に通常の取引キーに加えて特定振込取引を選択する取引キーを表示して、その特定振込取引を行えるようにしているため、全国的に実施されている取引の他に特定の地域の特定の期間において特定の口座に多数の顧客が振込みを行う特定振込取引を顧客が直接選択して行なうことが可能になるという効果が得られ、その際、振込先の名称、支店番号、口座番号等、振込金額の入力操作を省略できるという効果も得られる。
【００２１】
尚、上述した実施例では、ある地域に存在するフィットネスクラブの年会費の振込みを一定期間受付ける特定振込取引を例にして説明したが、これに限定されるものではなく、例えばカルチャーセンターの講座や、特定の地域に存在するスイミングクラブ、ダンス教室等の競技施設の年会費、更には公営の賃貸住宅のように特定の市あるいは都道府県の居住者を優先的に入居させる場合の入居保証金（敷金）等の期限付きの振込取引を受付ける場合についても適用可能である。
【図面の簡単な説明】
【００２２】
【図１】発明の実施例を示すシステム構成図
【図２】通常の取引選択画面の例を示す図
【図３】特定振込取引を選択させるキーを加えた取引選択画面の例を示す図
【符号の説明】
【００２３】
１    自動取引装置
２    顧客操作表示部
３    インタフェース部
４    制御部
１０  ホストコンピュータ
１１  インタフェース部
１２  制御部
１３  顧客情報データベース
２０  設定情報管理サーバ
２１  制御部
２２  インタフェース部
２３  取引等設定情報データベース
３０  設定端末
３１  表示部
３２  インタフェース部
３３  制御部
４０ｇ  取引選択キー
【図１】
2007141097.tif 000003
【図２】
2007141097.tif 000004
【図３】
2007141097.tif 000005